(57)【要約】【課題】移動局あるいは基地局のＣＰＵ性能やハードウェア資源の制約を回避して通信可能な通信システムを提供する。【解決手段】移動局１００は、基地局２００の通信エリアに進入すると、基地局２００とのリンクを確立し、続けて移動局ＭＲＵ送信部１０３が移動局ＭＲＵを基地局２００に送信する。基地局２００は、移動局１００より移動局ＭＲＵを受信すると、記憶部２０２に記憶する基地局ＭＲＵとＭＲＵ比較部２０４で比較し、これから行うアプリケーションのデータ転送に適用するＭＴＵを決定ＭＴＵとしてＭＴＵ決定部２０５で決定し、決定ＭＴＵを移動局１００に送信する。移動局１００と基地局２００とは当該通信に適用されたＭＴＵでアプリケーションのデータ転送を行う。【選択図】図１
2005124007.tif 000002
【特許請求の範囲】
【請求項１】
基地局と、前記基地局と通信する移動局とを含む通信システムであって、
前記移動局と前記基地局とは、一度のデータ転送処理にて転送可能な最大転送単位（ＭＴＵ）として、あらかじめ同じ値に設定された規定ＭＴＵを有し、
前記基地局ならびに前記移動局は、それぞれ相手局と通信する通信手段と、それぞれ自局において一度のデータ受信処理にて受信可能な最大受信単位（ＭＲＵ）である自局ＭＲＵと、をそれぞれ有し、
前記基地局と前記移動局の少なくとも一方は、相手局のＭＲＵである相手局ＭＲＵを取得する相手局ＭＲＵ取得手段と、前記通信に適用する最大転送単位を決定するＭＴＵ決定手段と、を備え、前記ＭＴＵ決定手段が、前記相手局ＭＲＵ取得手段で取得した相手局ＭＲＵと自局ＭＲＵとを比較し、小さい方を前記決定ＭＴＵとすることを特徴とする通信システム。
【請求項２】
前記移動局は、前記移動局における自局ＭＲＵである移動局ＭＲＵを送信する移動局ＭＲＵ送信手段と、前記基地局で決定された決定ＭＴＵを受信する決定ＭＴＵ受信手段と、を備え、
前記基地局は、前記移動局ＭＲＵ送信手段が送信した移動局ＭＲＵを受信する移動局ＭＲＵ受信手段と、前記ＭＴＵ決定手段と、前記ＭＴＵ決定手段で決定した決定ＭＴＵを送信する決定ＭＴＵ送信手段と、を備え、
前記移動局ＭＲＵ受信手段が前記移動局ＭＲＵを受信した場合は、前記ＭＴＵ決定手段が、受信した前記移動局ＭＲＵと、前記基地局における自局ＭＲＵである基地局ＭＲＵとを比較し、小さい方を前記決定ＭＴＵとすることを特徴とする請求項１記載の通信システム。
【請求項３】
前記移動局ＭＲＵ受信手段が前記移動局ＭＲＵを受信しなかった場合は、前記基地局は前記規定ＭＴＵを前記通信に適用することを特徴とする請求項２記載の通信システム。
【請求項４】
前記決定ＭＴＵ受信手段が前記決定ＭＴＵを受信しなかった場合は、前記移動局は前記規定ＭＴＵを前記通信に適用することを特徴とする請求項２または請求項３記載の通信システム。
【請求項５】
一度のデータ転送処理にて転送可能な最大転送単位（ＭＴＵ）として、あらかじめ他の装置と同じ値に設定された規定ＭＴＵを有し、さらに一度のデータ受信処理にて受信可能な最大受信単位（ＭＲＵ）である移動局ＭＲＵを有し、前記移動局ＭＲＵを送信する移動局ＭＲＵ送信手段と、前記他の装置と通信を行う移動局側通信手段と、前記他の装置が前記移動局ＭＲＵを受信した場合は、受信した前記移動局ＭＲＵと、前記他の装置の最大受信単位である基地局ＭＲＵとを比較し、小さい方を前記通信に適用する最大転送単位である決定ＭＴＵとして決定し、前記他の装置より送信した前記決定ＭＴＵを受信する決定ＭＴＵ受信手段と、を備えたことを特徴とする移動局。
【請求項６】
前記決定ＭＴＵ受信手段が前記決定ＭＴＵを受信しなかった場合は、前記規定ＭＴＵを前記通信に適用することを特徴とする請求項５記載の移動局。
【請求項７】
一度のデータ転送処理にて転送可能な最大転送単位（ＭＴＵ）として、あらかじめ他の装置と同じ値に設定された規定ＭＴＵを有し、さらに一度のデータ受信処理にて受信可能な最大受信単位（ＭＲＵ）である基地局ＭＲＵを有し、前記他の装置と通信を行う基地局側通信手段と、前記他の装置が送信した移動局ＭＲＵを受信する移動局ＭＲＵ受信手段と、前記通信に適用する最大転送単位を決定するＭＴＵ決定手段と、前記ＭＴＵ決定手段で決定した決定ＭＴＵを送信する決定ＭＴＵ送信手段と、を備え、前記移動局ＭＲＵ受信手段
が前記移動局ＭＲＵを受信した場合は、前記ＭＴＵ決定手段が、受信した前記移動局ＭＲＵと、前記基地局ＭＲＵとを比較し、小さい方を前記決定ＭＴＵとすることを特徴とする基地局。
【請求項８】
前記移動局ＭＲＵ受信手段が前記移動局ＭＲＵを受信しなかった場合は、前記規定ＭＴＵを前記通信に適用することを特徴とする請求項７記載の基地局。
【請求項９】
前記基地局は、前記基地局における自局ＭＲＵである基地局ＭＲＵを送信する基地局ＭＲＵ送信手段と、前記決定ＭＴＵを受信する決定ＭＴＵ受信手段と、を備え、
前記移動局は、前記基地局ＭＲＵ送信手段が送信した基地局ＭＲＵを受信する基地局ＭＲＵ受信手段と、前記通信に適用する最大転送単位を決定するＭＴＵ決定手段と、前記決定ＭＴＵを送信する決定ＭＴＵ送信手段と、を備え、
前記基地局ＭＲＵ受信手段が前記基地局ＭＲＵを受信した場合は、前記ＭＴＵ決定手段が、受信した前記基地局ＭＲＵと、前記移動局における自局ＭＲＵである移動局ＭＲＵとを比較し、小さい方を前記決定ＭＴＵとすることを特徴とする請求項１記載の通信システム。
【請求項１０】
前記基地局ＭＲＵ受信手段が前記基地局ＭＲＵを受信しなかった場合は、前記移動局は前記規定ＭＴＵを前記通信に適用することを特徴とする請求項９記載の通信システム。
【請求項１１】
前記決定ＭＴＵ受信手段が前記決定ＭＴＵを受信しなかった場合は、前記基地局は前記規定ＭＴＵを前記通信に適用することを特徴とする請求項９または請求項１０記載の通信システム。
【請求項１２】
一度のデータ転送処理にて転送可能な最大転送単位（ＭＴＵ）として、あらかじめ他の装置と同じ値に設定された規定ＭＴＵを有し、さらに一度のデータ受信処理にて受信可能な最大受信単位（ＭＲＵ）である基地局ＭＲＵを有し、前記基地局ＭＲＵを送信する基地局ＭＲＵ送信手段と、前記他の装置と通信を行う基地局側通信手段と、前記他の装置が前記基地局ＭＲＵを受信した場合は、受信した前記基地局ＭＲＵと、前記他の装置の最大受信単位である移動局ＭＲＵとを比較し、小さい方を前記通信に適用する最大転送単位である決定ＭＴＵとして決定し、前記他の装置より送信した前記決定ＭＴＵを受信する決定ＭＴＵ受信手段と、を備えたことを特徴とする基地局。
【請求項１３】
前記決定ＭＴＵ受信手段が前記決定ＭＴＵを受信しなかった場合は、前記規定ＭＴＵを前記通信に適用することを特徴とする請求項１２記載の基地局。
【請求項１４】
一度のデータ転送処理にて転送可能な最大転送単位（ＭＴＵ）として、あらかじめ他の装置と同じ値に設定された規定ＭＴＵを有し、さらに一度のデータ受信処理にて受信可能な最大受信単位（ＭＲＵ）である移動局ＭＲＵを有し、前記他の装置と通信を行う移動局側通信手段と、前記他の装置が送信した基地局ＭＲＵを受信する基地局ＭＲＵ受信手段と、前記通信に適用する最大転送単位を決定するＭＴＵ決定手段と、前記ＭＴＵ決定手段で決定した決定ＭＴＵを送信する決定ＭＴＵ送信手段と、を備え、前記基地局ＭＲＵ受信手段が前記基地局ＭＲＵを受信した場合は、前記ＭＴＵ決定手段が、受信した前記基地局ＭＲＵと、前記移動局ＭＲＵとを比較し、小さい方を前記決定ＭＴＵとすることを特徴とする移動局。
【請求項１５】
前記基地局ＭＲＵ受信手段が前記基地局ＭＲＵを受信しなかった場合は、前記規定ＭＴＵを前記通信に適用することを特徴とする請求項１４記載の移動局。
【請求項１６】
前記移動局は、前記移動局における自局ＭＲＵである移動局ＭＲＵを送信する移動局ＭＲ
Ｕ送信手段と、前記基地局が送信した基地局における自局ＭＲＵである基地局ＭＲＵを受信する基地局ＭＲＵ受信手段と、前記通信に適用する最大転送単位を決定する移動局側ＭＴＵ決定手段と、を備え、
前記基地局は、前記移動局ＭＲＵ送信手段が送信した移動局ＭＲＵを受信する移動局ＭＲＵ受信手段と、前記基地局ＭＲＵを送信する基地局ＭＲＵ送信手段と、前記通信に適用する最大転送単位を決定する基地局側ＭＴＵ決定手段と、を備え、
前記移動局ＭＲＵ受信手段が前記移動局ＭＲＵを受信した場合は、前記基地局側ＭＴＵ決定手段が、受信した移動局ＭＲＵと、前記基地局ＭＲＵとを比較し、小さい方を前記決定ＭＴＵとし、
前記基地局ＭＲＵ受信手段が前記基地局ＭＲＵを受信した場合は、前記移動局側ＭＴＵ決定手段が、受信した前記基地局ＭＲＵと、前記移動局ＭＲＵとを比較し、小さい方を前記決定ＭＴＵとすることを特徴とする請求項１記載の通信システム。
【請求項１７】
前記基地局ＭＲＵ受信手段が前記基地局ＭＲＵを受信しなかった場合は、前記移動局は前記規定ＭＴＵを前記通信に適用することを特徴とする請求項１６記載の通信システム。
【請求項１８】
前記移動局ＭＲＵ受信手段が前記移動局ＭＲＵを受信しなかった場合は、前記基地局は前記規定ＭＴＵを前記通信に適用することを特徴とする請求項１６または請求項１７記載の通信システム。
【発明の詳細な説明】
【技術分野】
【０００１】
本発明は、基地局と移動局との間の通信システムに関するものである。
【背景技術】
【０００２】
従来、この種の通信システムとしては、たとえば、非特許文献１に記載されているようなものがあった。従来の通信システムは、ＥＴＣ（自動料金収受システム）などで用いられている狭域無線通信技術を応用した種々のサービスをアプリケーションサブレイヤという通信プロトコルで行っている。このアプリケーションサブレイヤは、ＥＴＣにおける通信規格と互換性を保ちつつ、大容量データの送受信、移動局からの自発的なデータ送信や同報通信などを実現するものである。
【非特許文献１】「５．８Ｇ＿ＤＳＲＣアプリケーションサブレイヤ詳細技術資料（案）」第０．７０版、財団法人  道路新産業開発機構、２００３年３月発行、P.３−２１〜３−２７
【発明の開示】
【発明が解決しようとする課題】
【０００３】
しかしながら、従来の通信システムにおいては、アプリケーションサブレイヤにおける最大転送単位（ＭＴＵ）が固定値のため、安価な移動局あるいは基地局では、ＣＰＵの性能やハードウェア資源の不足で相手局からの大容量データを正常に受信できないことが考えられ、一方、高機能な移動局あるいは基地局においては、ＣＰＵ性能やハードウェア資源に余裕があるにもかかわらず細かく分割転送を行わなければならず、付加する制御情報などのオーバーヘッドの為に転送効率が低下するという問題があった。
【０００４】
本発明は、従来の問題を解決するためになされたもので、移動局あるいは基地局のＣＰＵ性能やハードウェア資源の制約を回避して相手局と通信可能な通信システムを提供することを目的とする。
【課題を解決するための手段】
【０００５】
本発明の通信システムは、基地局と、基地局と通信する移動局とを含む通信システムであって、移動局と基地局とが、一度のデータ転送処理にて転送可能な最大転送単位（ＭＴＵ）として、あらかじめ同じ値に設定された規定ＭＴＵを有し、基地局ならびに移動局が、それぞれ相手局と通信する通信手段と、それぞれ自局において一度のデータ受信処理にて受信可能な最大受信単位（ＭＲＵ）である自局ＭＲＵと、をそれぞれ有し、基地局と移動局の少なくとも一方が、相手局のＭＲＵである相手局ＭＲＵを取得する相手局ＭＲＵ取得手段と、通信に適用する最大転送単位を決定するＭＴＵ決定手段と、を備え、ＭＴＵ決定手段が、相手局ＭＲＵ取得手段で取得した相手局のＭＲＵと自局ＭＲＵとを比較し、小さい方を前記決定ＭＴＵとする構成を有している。
【０００６】
この構成により、相手局ＭＲＵに応じて、適切な決定ＭＴＵを選択でき、相手局のＣＰＵ性能やハードウェア資源の制約を回避して通信可能な通信システムを提供することができる。
【０００７】
また、本発明の通信システムは、移動局が、移動局における自局ＭＲＵである移動局ＭＲＵを送信する移動局ＭＲＵ送信手段と、基地局で決定された決定ＭＴＵを受信する決定ＭＴＵ受信手段とを備え、基地局が、移動局ＭＲＵ送信手段が送信した移動局ＭＲＵを受信する移動局ＭＲＵ受信手段と、ＭＴＵ決定手段と、ＭＴＵ決定手段で決定した決定ＭＴＵを送信する決定ＭＴＵ送信手段とを備え、移動局ＭＲＵ受信手段が移動局ＭＲＵを受信
した場合は、ＭＴＵ決定手段が、受信した移動局ＭＲＵと、基地局ＭＲＵとを比較し、小さい方を決定ＭＴＵとする構成を有している。
【０００８】
この構成により、移動局ＭＲＵに応じて、適切な決定ＭＴＵを選択でき、移動局のＣＰＵ性能やハードウェア資源の制約を回避して通信可能な通信システムを提供することができる。
また、本発明の通信システムは、移動局ＭＲＵ受信手段が移動局ＭＲＵを受信しなかった場合には、基地局が規定ＭＴＵを通信に適用する構成を有している。
【０００９】
この構成により、万一、基地局が移動局ＭＲＵを受信できなくても、あるいは通信システムに移動局ＭＲＵを送信する機能を有しない移動局が混在していても規定ＭＴＵで通常の通信を行うことができる。
【００１０】
また、本発明の通信システムは、決定ＭＴＵ受信手段が決定ＭＴＵを受信しなかった場合には、移動局が規定ＭＴＵを通信に適用する構成を有している。
この構成により、万一、移動局が決定ＭＴＵを受信できなくても、あるいは通信システムの一部の基地局が決定ＭＴＵを送信する機能を有しない場合でも規定ＭＴＵで通常の通信を行うことができる。
【００１１】
また、本発明の通信システムは、基地局が、基地局における自局ＭＲＵである基地局ＭＲＵを送信する基地局ＭＲＵ送信手段と、決定ＭＴＵを受信する決定ＭＴＵ受信手段とを備え、移動局が、基地局ＭＲＵ送信手段が送信した基地局ＭＲＵを受信する基地局ＭＲＵ受信手段と、通信に適用する最大転送単位を決定するＭＴＵ決定手段と、ＭＴＵ決定手段で決定した決定ＭＴＵを送信する決定ＭＴＵ送信手段とを備え、基地局ＭＲＵ受信手段が基地局ＭＲＵを受信した場合は、ＭＴＵ決定手段が、受信した基地局ＭＲＵと、移動局における自局ＭＲＵである移動局ＭＲＵとを比較し、小さい方を決定ＭＴＵとする構成を有している。
【００１２】
この構成により、基地局ＭＲＵに応じて、適切な決定ＭＴＵを選択でき、基地局のＣＰＵ性能やハードウェア資源の制約を回避して通信可能な通信システムを提供することができる。
また、本発明の通信システムは、基地局ＭＲＵ受信手段が基地局ＭＲＵを受信しなかった場合には、移動局が規定ＭＴＵを通信に適用する構成を有している。
【００１３】
この構成により、万一、移動局が基地局ＭＲＵを受信できなくても、あるいは通信システムに基地局ＭＲＵを送信する機能を有しない基地局が存在していても規定ＭＴＵで通常の通信を行うことができる。
【００１４】
また、本発明の通信システムは、決定ＭＴＵ受信手段が決定ＭＴＵを受信しなかった場合には、基地局が規定ＭＴＵを通信に適用する構成を有している。
この構成により、万一、基地局が決定ＭＴＵを受信できなくても、あるいは通信システムの一部の移動局が決定ＭＴＵを送信する機能を有しない場合でも規定ＭＴＵで通常の通信を行うことができる。
【００１５】
さらに、本発明の通信システムは、移動局が、移動局における自局ＭＲＵである移動局ＭＲＵを送信する移動局ＭＲＵ送信手段と、基地局が送信した基地局における自局ＭＲＵである基地局ＭＲＵを受信する基地局ＭＲＵ受信手段と、通信に適用する最大転送単位を決定する移動局側ＭＴＵ決定手段とを備え、基地局が、移動局ＭＲＵ送信手段が送信した移動局ＭＲＵを受信する移動局ＭＲＵ受信手段と、基地局ＭＲＵを送信する基地局ＭＲＵ送信手段と、通信に適用する最大転送単位を決定する基地局側ＭＴＵ決定手段と、を備え
、移動局ＭＲＵ受信手段が移動局ＭＲＵを受信した場合は、基地局側ＭＴＵ決定手段が、受信した移動局ＭＲＵと、基地局ＭＲＵとを比較し、小さい方を決定ＭＴＵとし、基地局ＭＲＵ受信手段が基地局ＭＲＵを受信した場合は、移動局側ＭＴＵ決定手段が、受信した基地局ＭＲＵと、移動局ＭＲＵとを比較し、小さい方を決定ＭＴＵとする構成を有している。
【００１６】
この構成により、基地局および移動局はそれぞれ自局ＭＲＵと相手局ＭＲＵとを比較して、適切な決定ＭＴＵを選択でき、相手局のＣＰＵ性能やハードウェア資源の制約を回避して通信可能な通信システムを提供することができる。
【発明の効果】
【００１７】
本発明は、移動局と基地局とがあらかじめ同じ値に設定された規定ＭＴＵを有し、基地局ならびに移動局が、それぞれ自局における最大受信単位である自局ＭＲＵをそれぞれ有し、基地局と移動局の少なくとも一方が、相手局の相手局ＭＲＵを取得する相手局ＭＲＵ取得手段と、通信に適用する最大転送単位を決定するＭＴＵ決定手段とを備え、ＭＴＵ決定手段が、相手局ＭＲＵ受信手段で取得した相手局ＭＲＵと自局ＭＲＵとを比較し、小さい方を決定ＭＴＵとすることにより、相手局のＭＲＵに応じて、適切な決定ＭＴＵを選択でき、相手局のＣＰＵ性能やハードウェア資源の制約を回避して通信可能な通信システムを提供することができるものである。
【発明を実施するための最良の形態】
【００１８】
以下、本発明の実施の形態の通信システムについて、図面を用いて説明する。
【００１９】
本発明の第１の実施の形態の通信システムの構成図を図１に示す。
【００２０】
図１において、通信システムは、移動局１００と基地局２００とを含み、移動局１００は、基地局２００と通信する通信部１０１と、一度のデータ転送処理にて転送可能な最大転送単位（ＭＴＵ）として、基地局２００との間であらかじめ同じ値に設定された規定ＭＴＵと移動局１００において一度のデータ受信処理にて受信可能な最大受信単位（ＭＲＵ）である移動局ＭＲＵを記憶する記憶部１０２と、記憶部１０２に記憶された移動局ＭＲＵを通信部１０１を介して送信する移動局ＭＲＵ送信部１０３と、基地局２００から送信された決定ＭＴＵを通信部１０１を介して受信する決定ＭＴＵ受信部１０４と、アプリケーション動作を行うアプリケーション部１０５と、これらの各部を制御する制御部１０６と、を有する構成である。
【００２１】
一方、基地局２００は、移動局１００と通信する通信部２０１と、移動局１００との間であらかじめ同じ値に設定された規定ＭＴＵと基地局２００において一度のデータ受信処理にて受信可能な最大受信単位（ＭＲＵ）である基地局ＭＲＵを記憶する記憶部２０２と、移動局１００が送信した移動局ＭＲＵを通信部２０１を介して受信する移動局ＭＲＵ受信部２０３と、移動局ＭＲＵ受信部２０３で受信した移動局ＭＲＵと記憶部２０２に記憶した基地局ＭＲＵとを比較するＭＲＵ比較部２０４と、ＭＲＵ比較部２０４で比較した結果に基づき、移動局１００との通信に適用するＭＴＵを決定するＭＴＵ決定部２０５と、ＭＴＵ決定部２０５で決定した決定ＭＴＵを通信部２０１を介して移動局１００に送信する決定ＭＴＵ送信部２０６と、アプリケーション動作を行うアプリケーション部２０７と、これらの各部を制御する制御部２０８と、を有する構成である。
【００２２】
以上のように構成された通信システムについて、図２〜図４を用いてその動作を説明する。
【００２３】
まず、移動局１００と基地局２００との間の概略動作を図２を用いて説明する。移動局
１００が基地局２００の通信エリアに進入した時点で（Ｓ１０１）、移動局１００は基地局２００に対して本実施の形態の通信システムとしてあらかじめ定められた転送単位でリンクを要求し（Ｓ１０２）、リンク要求を受信した基地局２００は、基地局固有情報を移動局１００に本実施の形態の通信システムとしてあらかじめ定められた転送単位で送信する（Ｓ１０３）。
【００２４】
基地局固有情報を受信した移動局１００は折り返し、移動局固有情報を基地局２００に送信し下位層のリンクを確立する（Ｓ１０４）。移動局１００は、続けて移動局ＭＲＵを基地局２００に送信する（Ｓ１０５）。
【００２５】
基地局２００は、移動局１００より移動局ＭＲＵを受信すると、自ら有する基地局ＭＲＵと比較し、これから行うアプリケーションのデータ転送に適用するＭＴＵを決定ＭＴＵとして決定し（Ｓ１０６）、決定ＭＴＵを移動局１００に送信する（Ｓ１０７）。移動局１００と基地局２００とは当該通信に適用されたＭＴＵでアプリケーションのデータ転送を行う。
【００２６】
次に、図３を用いて移動局の、図４を用いて基地局の動作を詳細に説明する。
【００２７】
移動局１００から基地局２００へのリンク要求、基地局２００から移動局１００への基地局固有情報送信、移動局１００から基地局２００への移動局固有情報送信といった一連の動作により移動局１００の下位層の接続が確立され（Ｓ２０１）、基地局２００の下位層の接続が確立されると（Ｓ３０１）、移動局ＭＲＵ送信部１０３は、記憶部１０２に記憶した、例えば２５６オクテットといった移動局ＭＲＵを通信部１０１を介して基地局２００に送信する（Ｓ２０２）。
【００２８】
基地局２００の移動局ＭＲＵ受信部２０３が、通信部２０１を介して移動局１００から送信された移動局ＭＲＵを受信すると（Ｓ３０２のＹＥＳ）、ＭＲＵ比較部２０４は、受信した２５６オクテットという移動局ＭＲＵと、記憶部２０２に記憶した、例えば１５００オクテットといった基地局ＭＲＵとを比較する。
【００２９】
ＭＴＵ決定部２０５は、ＭＲＵ比較部２０４が比較した結果により、移動局ＭＲＵの値の方が小さい場合は（Ｓ３０３のＹＥＳ）、移動局ＭＲＵの２５６オクテットを当該通信におけるＭＴＵである決定ＭＴＵとして決定する（Ｓ３０４）。一方、移動局ＭＲＵ受信部２０３で受信した移動局ＭＲＵが、例えば１６００オクテットという様に基地局ＭＲＵの１５００オクテットより値が大きい場合には（Ｓ３０３のＮＯ）、ＭＴＵ決定部２０５は、基地局ＭＲＵの１５００オクテットという値を決定ＭＴＵとして決定する（Ｓ３０５）。
【００３０】
決定ＭＴＵ送信部２０６は、ＭＴＵ決定部２０５が決定した決定ＭＴＵを通信部２０１を介して移動局１００に送信する（Ｓ３０６）。移動局１００の決定ＭＴＵ受信部は、通信部１０１を介して、基地局が送信した決定ＭＴＵを受信すると（Ｓ２０３のＹＥＳ）、受信した決定ＭＴＵを当該通信のＭＴＵとして設定する（Ｓ２０４）。
【００３１】
移動局ＭＲＵを基地局に送信後（Ｓ２０２）、あらかじめ定めた時間内に決定ＭＴＵを受信しなかった場合は（Ｓ２０３のＮＯ）、記憶部１０２にあらかじめ記憶している、例えば、５２２オクテットといった規定ＭＴＵの値を当該通信のＭＴＵとして設定し（Ｓ２０５）、設定されたＭＴＵを用いてアプリケーションのデータ転送を基地局２００との間で行う（Ｓ２０６）。
【００３２】
基地局２００でも、ＭＴＵ決定部２０５で決定したＭＴＵを当該通信のＭＴＵとして設
定する（Ｓ３０７）。あるいは、基地局２００において、下位層の接続確立を行った後（Ｓ３０１）、あらかじめ定めた時間内に移動局ＭＲＵ受信部２０３が、移動局ＭＲＵを受信しなかった場合（Ｓ３０２のＮＯ）、あらかじめ記憶部２０２に記憶されている、例えば５２２オクテットといった規定ＭＴＵの値を当該通信のＭＴＵとして設定する（Ｓ３０８）。設定されたＭＴＵを用いてアプリケーションのデータ転送を移動局１００との間で行う（Ｓ３０９）。
【００３３】
このような本発明の一実施の形態の通信システムによれば、移動局１００と基地局２００とがあらかじめ同じ値に設定された規定ＭＴＵを有し、移動局１００が、さらに移動局１００におけるＭＲＵである移動局ＭＲＵを有し、基地局２００が、基地局２００におけるＭＲＵである基地局ＭＲＵを有し、基地局２００は通信に適用する最大転送単位を決定するＭＴＵ決定部２０５を備え、移動局ＭＲＵ受信部２０３が移動局ＭＲＵを受信した場合は、ＭＴＵ決定部２０５が、受信した移動局ＭＲＵと、基地局ＭＲＵとを比較し、小さい方を決定ＭＴＵとして設定することにより、移動局１００のＭＲＵに応じて、適切な決定ＭＴＵを選択でき、移動局１００のＣＰＵ性能やハードウェア資源の制約を回避して通信することができる。
【００３４】
なお、以上の説明では、移動局ＭＲＵを２５６オクテット、あるいは１６００オクテット、基地局ＭＲＵを１５００オクテット、規定ＭＴＵを５２２オクテットの例について説明したが、その他のＭＲＵやＭＴＵの値についても同様に実施可能である。また、以上の説明では、基地局と移動局との間で、一つのＭＴＵを決定する場合で説明したが、基地局と移動局との間の論理的な複数の通信パスに対して、それぞれのパスにおいて適切な決定ＭＴＵを選択するネゴシエーション手続きについても同様に実施可能である。
【００３５】
また、以上の説明では、基地局に対して１つの移動局が通信を行なう場合で説明したが、移動局が複数の場合でも、それぞれの移動局が基地局との間でＭＴＵのネゴシエーション手続きを行うことで同様に実施可能である。
【００３６】
次に、本発明の第２の実施の形態の通信システムの構成図を図５に示す。図５において、移動局２５０の構成は図１に示す基地局２００の構成と同様であり、基地局１５０の構成は図１に示す移動局１００の構成と同様であり、異なる点を中心にその動作を図６〜図８を用いて説明する。
【００３７】
まず、移動局２５０と基地局１５０との間の概略動作を図２を用いて説明する。移動局２５０が基地局１５０の通信エリアに進入した時点（Ｓ１５１）〜移動局固有情報を基地局１５０に送信し下位層のリンクを確立する（Ｓ１５４）は、第１の実施の形態の（Ｓ１０１）〜（Ｓ１０４）と同様である。次に、基地局１５０は、基地局ＭＲＵを移動局２５０に送信する（Ｓ１５５）。
【００３８】
移動局２５０は、基地局１５０より基地局ＭＲＵを受信すると、自ら有する移動局ＭＲＵと比較し、これから行うアプリケーションのデータ転送に適用するＭＴＵを決定ＭＴＵとして決定し（Ｓ１５６）、決定ＭＴＵを基地局１５０に送信する（Ｓ１５７）。移動局２５０と基地局１５０とは当該通信に適用されたＭＴＵでアプリケーションのデータ転送を行う。
【００３９】
次に、図７を用いて基地局の、図４を用いて移動局の動作を詳細に説明する。
【００４０】
移動局２５０から基地局１５０へのリンク要求、基地局１５０から移動局２５０への基地局固有情報送信、移動局２５０から基地局１５０への移動局固有情報送信といった一連の動作により基地局１５０の下位層の接続が確立され（Ｓ２５１）、移動局２５０の下位
層の接続が確立されると（Ｓ３５１）、基地局ＭＲＵ送信部１５３は、記憶部１５２に記憶した、例えば２５６オクテットといった基地局ＭＲＵを通信部１５１を介して移動局２５０に送信する（Ｓ２５２）。
【００４１】
移動局２５０の基地局ＭＲＵ受信部２５３が、通信部２５１を介して基地局１５０から送信された基地局ＭＲＵを受信すると（Ｓ３５２のＹＥＳ）、ＭＲＵ比較部２５４は、受信した２５６オクテットという基地局ＭＲＵと、記憶部２５２に記憶した、例えば１５００オクテットといった移動局ＭＲＵとを比較する。
【００４２】
ＭＴＵ決定部２５５は、ＭＲＵ比較部２５４が比較した結果により、基地局ＭＲＵの値の方が小さい場合は（Ｓ３５３のＹＥＳ）、基地局ＭＲＵの２５６オクテットを当該通信におけるＭＴＵである決定ＭＴＵとして決定する（Ｓ３５４）。一方、基地局ＭＲＵ受信部２５３で受信した基地局ＭＲＵが、例えば１６００オクテットという様に移動局ＭＲＵの１５００オクテットより値が大きい場合には（Ｓ３５３のＮＯ）、ＭＴＵ決定部２５５は、移動局ＭＲＵの１５００オクテットという値を決定ＭＴＵとして決定する（Ｓ３５５）。
【００４３】
決定ＭＴＵ送信部２５６は、ＭＴＵ決定部２５５が決定した決定ＭＴＵを通信部２５１を介して基地局１５０に送信する（Ｓ３５６）。基地局１５０の決定ＭＴＵ受信部は、通信部１５１を介して、移動局が送信した決定ＭＴＵを受信すると（Ｓ２５３のＹＥＳ）、受信した決定ＭＴＵを当該通信のＭＴＵとして設定する（Ｓ２５４）。
【００４４】
基地局ＭＲＵを移動局に送信後（Ｓ２５２）、あらかじめ定めた時間内に決定ＭＴＵを受信しなかった場合は（Ｓ２５３のＮＯ）、記憶部１５２にあらかじめ記憶している、例えば、５２２オクテットといった規定ＭＴＵの値を当該通信のＭＴＵとして設定し（Ｓ２５５）、設定されたＭＴＵを用いてアプリケーションのデータ転送を移動局２５０との間で行う（Ｓ２５６）。
【００４５】
移動局２５０でも、ＭＴＵ決定部２５５で決定したＭＴＵを当該通信のＭＴＵとして設定する（Ｓ３５７）。あるいは、移動局２５０において、下位層の接続確立を行った後（Ｓ３５１）、あらかじめ定めた時間内に基地局ＭＲＵ受信部２５３が、基地局ＭＲＵを受信しなかった場合（Ｓ３５２のＮＯ）、あらかじめ記憶部２５２に記憶されている、例えば５２２オクテットといった規定ＭＴＵの値を当該通信のＭＴＵとして設定する（Ｓ３５８）。設定されたＭＴＵを用いてアプリケーションのデータ転送を基地局１５０との間で行う（Ｓ３５９）。
【００４６】
このような本発明の一実施の形態の通信システムによれば、基地局１５０と移動局２５０とがあらかじめ同じ値に設定された規定ＭＴＵを有し、基地局１５０が、さらに基地局１５０におけるＭＲＵである基地局ＭＲＵを有し、移動局２５０が、移動局２５０におけるＭＲＵである移動局ＭＲＵを有し、移動局２５０は通信に適用する最大転送単位を決定するＭＴＵ決定部２５５を備え、機知局ＭＲＵ受信部２５３が基地局ＭＲＵを受信した場合は、ＭＴＵ決定部２５５が、受信した基地局ＭＲＵと、移動局ＭＲＵとを比較し、小さい方を決定ＭＴＵとして設定することにより、基地局１５０のＭＲＵに応じて、適切な決定ＭＴＵを選択でき、基地局１５０のＣＰＵ性能やハードウェア資源の制約を回避して通信することができる。
【００４７】
なお、以上の説明では、基地局ＭＲＵを２５６オクテット、あるいは１６００オクテット、移動局ＭＲＵを１５００オクテット、規定ＭＴＵを５２２オクテットの例について説明したが、その他のＭＲＵやＭＴＵの値についても同様に実施可能である。また、以上の説明では、基地局と移動局との間で、一つのＭＴＵを決定する場合で説明したが、基地局
と移動局との間の論理的な複数の通信パスに対して、それぞれのパスにおいて適切な決定ＭＴＵを選択するネゴシエーション手続きについても同様に実施可能である。
【００４８】
また、以上の説明では、基地局に対して１つの移動局が通信を行なう場合で説明したが、移動局が複数の場合でも、それぞれの移動局が基地局との間でＭＴＵのネゴシエーション手続きを行うことで同様に実施可能である。
【００４９】
次に、本発明の第３の実施の形態の通信システムの構成図を図９に示す。その動作を図１０〜図１２を用いて説明する。
【００５０】
まず、移動局２９０と基地局１９０との間の概略動作を図１０を用いて説明する。移動局２９０が基地局１９０の通信エリアに進入した時点（Ｓ１９１）〜リンク要求を送信する（Ｓ１９２）は、第１の実施の形態の（Ｓ１０１）〜（Ｓ１０２）と同様である。次に、基地局１９０は、基地局ＭＲＵを移動局２９０に送信する（Ｓ１９３）。
【００５１】
移動局２５０は、基地局１５０より基地局ＭＲＵを受信すると、移動局ＭＲＵを基地局１９０に対して送信する（Ｓ１９４）。次に、自ら有する移動局ＭＲＵと比較し、これから行うアプリケーションのデータ転送に適用するＭＴＵを決定ＭＴＵとして決定する（Ｓ１９６）。
【００５２】
また、移動局ＭＲＵを受信した基地局１９０は、移動局ＭＲＵと自ら有する基地局ＭＲＵと比較し、これから行うアプリケーションのデータ転送に適用するＭＴＵを決定ＭＴＵとして決定する（Ｓ１９５）。移動局２９０と基地局１９０とは当該通信に適用されたＭＴＵでアプリケーションのデータ転送を行う。
【００５３】
次に、図１１を用いて基地局の、図１２を用いて移動局の動作を詳細に説明する。
【００５４】
基地局１９０が移動局２９０からリンク要求を受信すると、基地局ＭＲＵ送信部１９８は、記憶部１９２に記憶した、例えば２５６オクテットといった基地局ＭＲＵを通信部１９１を介して移動局２９０に送信する（Ｓ２９２）。
【００５５】
移動局２９０の基地局ＭＲＵ受信部２９３が、通信部２９１を介して基地局１９０から送信された基地局ＭＲＵを受信すると（Ｓ３９２のＹＥＳ）、移動局ＭＲＵ送信部２９８は通信部２９１を介して基地局１９０に対して移動局ＭＲＵを送信する。ＭＲＵ比較部２９４は、受信した２５６オクテットという基地局ＭＲＵと、記憶部２９２に記憶した、例えば１５００オクテットといった移動局ＭＲＵとを比較する。
【００５６】
ＭＴＵ決定部２９５は、ＭＲＵ比較部２９４が比較した結果により、基地局ＭＲＵの値の方が小さい場合は（Ｓ３９４のＹＥＳ）、基地局ＭＲＵの２５６オクテットを当該通信におけるＭＴＵである決定ＭＴＵとして決定する（Ｓ３９６）。一方、基地局ＭＲＵ受信部２９３で受信した基地局ＭＲＵが、例えば１６００オクテットという様に移動局ＭＲＵの１５００オクテットより値が大きい場合には（Ｓ３５４のＮＯ）、ＭＴＵ決定部２９５は、移動局ＭＲＵの１５００オクテットという値を決定ＭＴＵとして決定する（Ｓ３９５）。
【００５７】
基地局１９０の移動局ＭＲＵ受信部１９３が、通信部１９１を介して移動局２９０から送信された移動局ＭＲＵを受信すると（Ｓ２９３のＹＥＳ）、ＭＲＵ比較部１９４は、受信した１５００オクテットという移動局ＭＲＵと、記憶部１９２に記憶した、例えば２５６オクテットといった基地局ＭＲＵとを比較する。
【００５８】
ＭＴＵ決定部１９５は、ＭＲＵ比較部１９４が比較した結果により、基地局ＭＲＵの値の方が小さい場合は（Ｓ２９４のＹＥＳ）、移動局ＭＲＵの２５６オクテットを当該通信におけるＭＴＵである決定ＭＴＵとして決定する（Ｓ２９６）。一方、移動局ＭＲＵ受信部２９３で受信した移動局ＭＲＵが、例えば１５００オクテットという様に移動局ＭＲＵの２５６オクテットより値が大きい場合には（Ｓ２９４のＮＯ）、ＭＴＵ決定部１９５は、基地局ＭＲＵの２５６オクテットという値を決定ＭＴＵとして決定する（Ｓ２９５）。
【００５９】
基地局ＭＲＵを移動局に送信後（Ｓ２９２）、あらかじめ定めた時間内に移動局ＭＲＵを受信しなかった場合は（Ｓ２９３のＮＯ）、記憶部１９２にあらかじめ記憶している、例えば、５２２オクテットといった規定ＭＴＵの値を当該通信のＭＴＵとして設定し（Ｓ２９８）、設定されたＭＴＵを用いてアプリケーションのデータ転送を移動局２９０との間で行う（Ｓ２９９）。
【００６０】
移動局２９０でも、リンク要求送信後に、あらかじめ定めた時間内に基地局ＭＲＵ受信部２９３が、基地局ＭＲＵを受信しなかった場合（Ｓ３９２のＮＯ）、あらかじめ記憶部２９２に記憶されている、例えば５２２オクテットといった規定ＭＴＵの値を当該通信のＭＴＵとして設定する（Ｓ３９８）。設定されたＭＴＵを用いてアプリケーションのデータ転送を基地局１９０との間で行う（Ｓ３９９）。
【００６１】
このような本発明の一実施の形態の通信システムによれば、基地局１９０と移動局２９０とがあらかじめ同じ値に設定された規定ＭＴＵを有し、基地局１９０が、さらに基地局１９０におけるＭＲＵである基地局ＭＲＵを有し、移動局２９０が、移動局２９０におけるＭＲＵである移動局ＭＲＵを有し、基地局１９０は通信に適用する最大転送単位を決定するＭＴＵ決定部１９５を備え、移動局２９０は通信に適用する最大転送単位を決定するＭＴＵ決定部２９５を備え、基地局ＭＲＵ受信部１９３が移動局ＭＲＵを受信した場合は、ＭＴＵ決定部２９５が、受信した基地局ＭＲＵと、移動局ＭＲＵとを比較し、小さい方を決定ＭＴＵとして設定することにより、基地局１９０のＭＲＵに応じて、適切な決定ＭＴＵを選択でき、基地局１９０のＣＰＵ性能やハードウェア資源の制約を回避して通信することができる。
【００６２】
なお、以上の説明では、基地局ＭＲＵを２５６オクテット、あるいは１６００オクテット、移動局ＭＲＵを１５００オクテット、規定ＭＴＵを５２２オクテットの例について説明したが、その他のＭＲＵやＭＴＵの値についても同様に実施可能である。また、以上の説明では、基地局と移動局との間で、一つのＭＴＵを決定する場合で説明したが、基地局と移動局との間の論理的な複数の通信パスに対して、それぞれのパスにおいて適切な決定ＭＴＵを選択するネゴシエーション手続きについても同様に実施可能である。
【００６３】
また、以上の説明では、移動局が基地局に対して移動局ＭＲＵを送信した後に移動局がＭＴＵを決定したが、移動局が基地局からの基地局ＭＲＵを受信して先にＭＴＵを決定した後に基地局に対して移動局ＭＲＵを送信することも可能である。
【００６４】
また、以上の説明では、基地局に対して１つの移動局が通信を行なう場合で説明したが、移動局が複数の場合でも、それぞれの移動局が基地局との間でＭＴＵのネゴシエーション手続きを行うことで同様に実施可能である。
【産業上の利用可能性】
【００６５】
以上のように、本発明にかかる通信システムは、移動局のＭＲＵに応じて、あるいは、基地局のＭＲＵに応じて、適切な決定ＭＴＵを選択でき、移動局あるいは、基地局のＣＰＵ性能やハードウェア資源の制約を回避して通信可能であるという効果を有し、基地局と移動局との間の通信システム等として有用である。
【図面の簡単な説明】
【００６６】
【図１】本発明の第１の実施の形態における通信システムのブロック図
【図２】本発明の第１の実施の形態における通信システムの概略動作説明のためのフロー図
【図３】本発明の第１の実施の形態における通信システムの移動局における動作説明のためのフロー図
【図４】本発明の第１の実施の形態における通信システムの基地局における動作説明のためのフロー図
【図５】本発明の第２の実施の形態における通信システムのブロック図
【図６】本発明の第２の実施の形態における通信システムの概略動作説明のためのフロー図
【図７】本発明の第２の実施の形態における通信システムの基地局における動作説明のためのフロー図
【図８】本発明の第２の実施の形態における通信システムの移動局における動作説明のためのフロー図
【図９】本発明の第３の実施の形態における通信システムのブロック図
【図１０】本発明の第３の実施の形態における通信システムの概略動作説明のためのフロー図
【図１１】本発明の第３の実施の形態における通信システムの基地局における動作説明のためのフロー図
【図１２】本発明の第３の実施の形態における通信システムの移動局における動作説明のためのフロー図
【符号の説明】
【００６７】
１００、２５０、２９０  移動局
１０１、１５１、１９１、２０１、２５１、２９１  通信部
１０２、１５２、１９２、２０２、２５２、２９２  記憶部
１０３、２９８  移動局ＭＲＵ送信部
１０４、１５４  決定ＭＴＵ受信部
１０５、１５５、１９６、２０７、２５７、２９６  アプリケーション部
１０６、１５６、１９７、２０８、２５８、２９７  制御部
１５０、１９０、２００  基地局
１５３、１９８  基地局ＭＲＵ送信部１９３、２０３  移動局ＭＲＵ受信部
１９４、２０４、２５４、２９４  ＭＲＵ比較部
１９５、２０５、２５５、２９５  ＭＴＵ決定部
２０６、２５６  決定ＭＴＵ送信部
２５３、２９３  基地局ＭＲＵ受信部
【図１】
2005124007.tif 000003
【図２】
2005124007.tif 000004
【図３】
2005124007.tif 000005
【図４】
2005124007.tif 000006
【図５】
2005124007.tif 000007
【図６】
2005124007.tif 000008
【図７】
2005124007.tif 000009
【図８】
2005124007.tif 000010
【図９】
2005124007.tif 000011
【図１０】
2005124007.tif 000012
【図１１】
2005124007.tif 000013
【図１２】
2005124007.tif 000014